(57)【要約】【課題】本発明の目的は、廃棄物受入施設が休みの場合でも、利用者は廃棄物を持ち込むことができる廃棄物受入施設を提供することである。【解決手段】廃棄物受入施設（１）は、利用者が廃棄物を廃棄する廃棄場所（６０）と、廃棄場所（６０）への進入を防止する囲い（３）と、囲い（３）に設けられたゲート（４０）と、ゲート（４０）を開けるために利用者が所定の情報を入力する端末（１０）と、利用者の車両の重量を計測する重量計測機（３０）と、を備えている。ゲート（４０）は、利用者が端末（１０）に所定の情報を入力した後で、重量計測器（３０）において、車両の重量を正確に計測したと判定した場合に開けられるゲート（４０）であり、端末（１０）は、利用者が車両から廃棄物を廃棄する前と廃棄した後の車両の重量を計測した場合に、車両の重量の差分と車両の重量の差分に応じた廃棄物処理料金を利用者に報知する。【選択図】図１
2020083524.tif 000002
【特許請求の範囲】
【請求項１】
利用者が廃棄物を廃棄する廃棄場所と、
前記廃棄場所への進入を防止する囲いと、
前記囲いに設けられたゲートと、
前記ゲートを開けるために利用者が所定の情報を入力する端末と、
利用者の車両の重量を計測する重量計測機と、を備え、
前記ゲートは、利用者が前記端末に所定の情報を入力した場合や前記重量計測器において車両の重量を正確に計測したと判定した場合に、開けられるゲートであり、
前記端末は、利用者が車両から廃棄物を廃棄する前と廃棄した後の車両の重量を計測した場合に、車両の重量の差分と車両の重量の差分に応じた廃棄物処理料金を利用者に報知する、廃棄物受入施設。
【請求項２】
監視カメラを備え、
前記監視カメラは、前記重量計測機での計測を行う車両及び前記ゲートを通る車両を撮影することが可能である、請求項１に記載の廃棄物受入施設。
【請求項３】
前記端末は、前記廃棄物処理料金の支払いのための決済情報を入力するインターフェースを備え、利用者は、該端末を用いて、前記廃棄物処理料金の決済をすることができる、請求項１または請求項２に記載の廃棄物受入施設。
【発明の詳細な説明】
【技術分野】
【０００１】
本発明は、廃棄物受入施設に関する。
【背景技術】
【０００２】
従来、廃棄物を受け入れ中間処理するに際して、廃棄物の保管及び受け払いを効率的に行うことができる廃棄物の受け払い方法がある（例えば、特許文献１）。
【先行技術文献】
【特許文献】
【０００３】
【特許文献１】特開平１１−１３９５０４号公報
【発明の概要】
【発明が解決しようとする課題】
【０００４】
しかし、特許文献１に示す技術では、廃棄物受入施設が休みの場合に、利用者は廃棄物を持ち込むことができないといった問題がある。
【０００５】
本発明の目的は、廃棄物受入施設が休みの場合でも、利用者は廃棄物を持ち込むことができる廃棄物受入施設を提供することである。
【課題を解決するための手段】
【０００６】
上記目的は、
利用者が廃棄物を廃棄する廃棄場所（６０）と、
前記廃棄場所（６０）への進入を防止する囲い（３）と、
前記囲い（３）に設けられたゲート（４０）と、
前記ゲートを開けるために利用者が所定の情報を入力する端末（１０）と、
利用者の車両の重量を計測する重量計測機（３０）と、を備え、
前記ゲート（４０）は、利用者が前記端末（１０）に所定の情報を入力した場合や前記重量計測器（３０）において車両の重量を正確に計測したと判定した場合に、開けられるゲート（４０）であり、
前記端末（１０）は、利用者が車両から廃棄物を廃棄する前と廃棄した後の車両の重量を計測した場合に、車両の重量の差分と車両の重量の差分に応じた廃棄物処理料金を利用者に報知する、廃棄物受入施設（１）、
によって達成される。
【０００７】
また、上記目的は、
監視カメラ（２０）を備え、
前記監視カメラは、前記重量計測機での計測を行う車両及び前記ゲートを通る車両を撮影することが可能である、上記の廃棄物受入施設（１）、
によって達成される。
【０００８】
また、上記目的は、
前記端末（１０）は、クレジットカードやプリペイドカードの情報を入力するインターフェースを備え、利用者は、該端末を用いて、前記廃棄物処理料金の決済をすることができる、上記の廃棄物受入施設（１）、
によって達成される。
【発明の効果】
【０００９】
本発明によれば、廃棄物受入施設が休みの場合でも、利用者は廃棄物を持ち込むことができる廃棄物受入施設を提供することができる。
【図面の簡単な説明】
【００１０】
【図１】本発明の実施形態による廃棄物受入施設１を説明する図である。
【図２】本発明の実施形態による廃棄物受入施設１のシステム構成図である。
【図３】本発明の実施形態による廃棄物受入施設１の車両入場時のフローチャート図である。
【図４】本発明の実施形態による廃棄物受入施設１の車両退場時のフローチャート図である。
【図５】本発明の実施形態による廃棄物受入施設１の車両退場時のフローチャート図である。
【図６】本発明の実施形態による廃棄物受入施設１に設けられるコンテナ施設１０００を説明する図である。
【図７】本発明の実施形態による廃棄物受入施設１に設けられるコンテナ施設１０００を説明する図である。
【図８】本発明の実施形態による廃棄物受入施設１に設けられるコンテナ施設１０００を説明する図である。
【発明を実施するための形態】
【００１１】
以下、図１〜図７を用いて、本発明の実施形態による廃棄物受入施設１を説明する。なお、以下の全ての図面においては、理解を容易にするため、各構成要素の寸法や比率などは適宜異ならせて図示している。
【００１２】
図１は、本発明の実施形態による廃棄物受入施設１の概要図である。図１（ａ）は、利用者の車両が廃棄物受入施設１の廃棄場所５０に入場する前の状態を示し、図１（ｂ）は、利用者の車両が廃棄物受入施設１の廃棄場所５０から退場した状態を示している。
【００１３】
図１に示すように、廃棄物受入施設１は、端末１０と、重量計測機３０と、廃棄物を一時保管する複数のコンテナ４ａ〜４ｃと、複数のコンテナ４ａ〜４ｃを設置する廃棄場所６０と、廃棄場所６０を囲むフェンス３と、フェンス３に設けられたゲート４０と、監視カメラ２０と、を有している。
【００１４】
端末１０とゲート４０の間に重量計測機３０が設けられる。利用者は、廃棄場所６０へ車両を入場させる前に、端末１０に所定の情報を入力した後で、車両の重量を重量計測機３０で計測する。なお、ゲート４０は、端末１０と監視カメラ２０の間に設けられる場合があってもよい。監視カメラ２０は、重量計測機３０での計測を行う車両及びゲート４０を通る車両を撮影することが可能な位置に設けられる。なお、監視カメラ２０は、廃棄場所５０を監視してもよい。
【００１５】
図２は、廃棄物受入施設１のシステム構成図である。廃棄物受入施設１の端末１０、カメラ２０、重量計測機３０、及びゲート４０は、電源５０を電力源として動作する。端末１０は、ＣＰＵ１１、メモリ１３、通信部１２、及びインターフェース１４を有している。ＣＰＵ１１は、メモリ１３に格納されているプログラム、インターフェース１４に入力された利用者情報、及び重量計測機３０の情報に基づいて、ゲート４０の開放及び閉鎖の制御を行う。また、通信部１２及びカメラ２０は、インターネットに接続可能であり、所定のサーバーに対して、データの入出力が可能である。
【００１６】
図３を用いて、利用者の車両が廃棄物受入施設１の廃棄場所５０に入場する場合の端末１０のＣＰＵ１１が行う制御プログラムで実行するフローチャートである。
【００１７】
ステップＳ１０１では、端末１０のインターフェース１４に、入場モードｏｒ退場モード選択画面を出力し、入場モードが選択された場合に、ログインＩＤ及びパスワードの入力画面を出力する。インターフェース１４には、タッチパネル、二次元バーコード入力装置、カードリーダー等が設けられる。
【００１８】
ステップＳ１０３では、インターネットを介して所定のサーバーから登録ユーザー情報を取得する。次いで、ステップＳ１０４では、Ｓ１０１で入力されたユーザーＩＤとパスワードが登録ユーザー情報と照合し、登録ユーザーであるかどうかを判定する。登録ユーザーである場合は、ステップＳ１０５に進み、登録ユーザーでなければ、ステップＳ１１１に進む。ステップＳ１１１では、インターフェース１４に、ログイン情報またはパスワードが不正である旨の情報を出力する。
【００１９】
ステップＳ１０５では、インターフェース１４に利用者の車両を重量計測機３０まで移動させる情報を出力する。次いで、ステップＳ１０７では、重量計測機３０からの入力される計測値から、車両重量を決定する。ステップＳ１０７の詳細は後述する。次いで、ステップＳ１０９では、ゲート４０に対して、ゲート開放信号を出力し、ゲート４０の開放動作が行われる。
【００２０】
図４を用いて、利用者の車両が廃棄物受入施設１の廃棄場所５０から退場する場合の端末１０のＣＰＵ１１が行う制御プログラムで実行するフローチャートである。
【００２１】
ステップＳ２０１では、インターフェース１４に、入場モードｏｒ退場モード選択画面を出力し、退場モード選択画面が選択された場合に利用者が端末１０のログインＩＤを入力する画面を出力する。
【００２２】
ステップＳ２０４では、入力されたログイン情報と退場処理が未だされていない利用者のログイン情報と照合する。照合の結果、同一ログインがあれば、ステップＳ２０５に進み、同一ログインがなければ、ステップＳ２１０で異常を記録する。
【００２３】
ステップＳ２０５では、インターフェース１４に利用者の車両を重量計測機３０まで移動させる情報を出力する。次いで、ステップＳ１０７では、重量計測機３０からの入力される計測値から、車両重量を決定する。ステップＳ１０７の詳細は後述する。次いで、ステップＳ２０６において、入場時の車両重量と退場時の車両重量の差分をとり、廃棄量を確定する。次いで、ステップＳ２０７では、インターフェース１４に、ステップＳ２０７の結果から利用料金を提示し、決済に必要な情報を出力する。また、利用者が決済情報を入力後に、インターネットのサーバーに決済情報を送信する。
【００２４】
次いで、ステップＳ２０８では、廃棄場６０に他の利用者がいるかどうかを判定する。利用者がいないと判断した場合には、ステップＳ２０９に進み、利用者がいると判断した場合には、ステップＳ２０９を行わないで終了する。ステップＳ２０９は、ゲート４０に対して、ゲート閉鎖信号を出力し、ゲート４０の閉鎖動作が行われる。
【００２５】
図５は、ステップＳ１０７において行われる、重量計測機３０からの入力される計測値から車両重量を決定するフローチャートである。
【００２６】
ステップＳ３０１では、車両重量計３０での計測値を取得する。次いで、ステップＳ３０３では、取得した値が所定の値よりか大きいかどうかを判断する。計測値が所定の値より大きい場合は、ステップＳ３０５に進み、計測値が所定の値より大きくない場合は、ステップＳ３０１に戻る。所定の値については、予め一般的な車両を元に決定してもよいし、監視カメラ２０と連動することで、監視カメラの画像から車両の大きさを画像処理にて判断し、予め定められた値から選択してもよい。
【００２７】
ステップＳ３０５では、重量計測機３０からの入力される計測値を５点取得する。次いで、ステップＳ３０７では、取得した５点のバラツキを判定する。バラツキが所定の範囲内であれば、ステップＳ３０９に進み、バラツキが所定の範囲より大きい場合は、ステンプＳ３０５に戻る。次いで、ステップＳ３０９では、５点の平均値を計算し、車両の重量を決定する。
【００２８】
本実施の形態による廃棄物受入施設１では、入場用と退場用に用いる端末が一つであるが、入場用と退場用を別々に設けてもよいし、同様に、重量計測器を入場用と退場用と別々に設けてもよい。また、ゲートは一つであるが、入場用のゲートと退場用のゲートを別々に設けてもよい。また、本実施の形態による廃棄物受入施設１は、重量計測機３０で廃棄物の廃棄前の車両を計測することで、ゲート４０が開放される構成であるが、ゲート４０が開放された後に、重量計測機３０で廃棄物の廃棄前の車両を計測する構成であってもよい。また、ゲート４０を挟んで二つの重量計測機３０と端末１０を設けるようにしてもよい。この場合において、廃棄場所６０の入場時に、廃棄場所６０の外側に設けられた重量計測機３０と端末１０を用い、廃棄場所６０からの退場時に廃棄場所６０の内側に設けられた重量計測機３０と端末１０を用いるようにしてもよい。また、重量計測機３０のみで正確に車両の重量が計測されたと判断された場合にゲート４０を開放して廃棄場所６０に入場できるようにしてもよいし、端末１０で正式な操作がされた場合にゲート４０を開放して廃棄場所６０に入場できるようにしてもよい。
【００２９】
また、監視カメラ２０と端末１０を連携させてもよい。重量計測器３０において車両の計測をしている場合に利用者の不正を監視カメラ２０で監視し、監視カメラ２０での監視結果を車両重量の決定に反映させてもよい。具体的には、入場時に車両の搭乗者の人の顔を画像認識で確認することで搭乗者の人数を把握し、退場時の搭乗者の人の顔の画像認識の結果と照合し、不正が行われていないかを判断する。また、監視カメラ２０には、赤外線カメラを搭載することで、車両に隠れている人がいないか画像処理で判断することで、利用者の不正を監視することもできる。
【００３０】
また、廃棄物の種類毎に廃棄物受入施設１を複数設ける構成であってもよい。また、監視カメラ２０やその他の監視カメラを用いて、廃棄場６０に設けられたコンテナ４ａ〜４ｃを監視し、間違った種類の廃棄物を廃棄していないか監視してもよい。
【００３１】
次いで、図６及び図８を用いて、廃棄場６０に設けることが可能なコンテナ施設１０００を説明する。図６は、コンテナ施設１０００の正面の概略図であり、図７は、コンテナ施設１０００の側面の概略図であり、図８は、コンテナ施設１０００を建物に設置した状態を斜視概略図である。図６及び図７に示すように、コンテナ施設１０００は、複数（本実施の形態では２１個）のコンテナ５００ａ〜５００ｕと、コンテナ５００ａ〜５００ｕを保管する保管設備６００ａ〜６００ｆ（保管設備６００ｅ、６００ｆは不図示）と、ユーザーが利用するコンテナを呼び出すためのユーザーインターフェース５１１ａ、５１１ｂ、５１１ｃと、ユーザーが利用するコンテナを呼び出し、かつ呼び出したコンテナへの入出を行うためのコンテナ入出設備５１０ａ、５１０ｂ、５１０ｃと、コンテナ５００ａ〜５００ｕを移動させるコンテナ移動手段７１０と、を備えている。コンテナ移動手段７１０は、ユーザーインターフェース５１１ａ、５１１ｂ、５１１ｃに入力された情報に基づいて、一のコンテナをコンテナ保管設備６００ａ〜６００ｆからコンテナ入出設備５１０ａ、５１０ｂ、５１０ｃに移動させ、一のコンテナをコンテナ入出設備５１０ａ、５１０ｂ、５１０ｃからコンテナ保管設備６００ａ〜６００ｆの空いている保管場所に移動させることが可能である。
【００３２】
図６、図７に示すように、矢倉状のコンテナ保管設備６００ａ〜６００ｆは、４階構造であり、コンテナ５００ａ〜５００ｕを立体的に保管することが可能である。また、コンテナ保管設備６００ａ、６００ｂ、６００ｃの１階部分には、コンテナ入出設備５１０ａ、５１０ｂ、５１０ｃがそれぞれ設けられている。
【００３３】
コンテナ移動手段７１０は、コンテナを鉛直方向に上げ下げするためのエレベータ設備７１１（巻上駆動部７１１ａ、載置部７１１ｂ）と、自身をレール７１５ａ、７１５ｂに沿って移動させる車輪７１３ａ、７１３ｂ、７１３ｃ（不図示）、７１３ｄ（不図示）、及び車輪７１３ａ〜７１３ｄの駆動部（不図示）と、これらを支える複数の支柱を有している。また、エレベータ設備７１１の載置部７１１ｂには、２本のアーム７１２とアーム７１２の出し入れを行う駆動部（不図示）を有している。また、コンテナ移動手段７１０は、コンテナ保管設備６００ａ〜６００ｃと保管設備６００ｄ〜６００ｆの間に設けられ、保管設備６００ａ〜６００ｃ及び保管設備６００ｄ〜６００ｆの並びに対して並行移動が可能である。なお、本例ではコンテナを鉛直方向に上げ下げするためのエレベータ設備７１１は巻上げ式を採用しているが、油圧式であってもよいし、ゴンドラ式であってもよい。
【００３４】
図７は、コンテナ保管設備６００ａの３階部分に保管されているコンテナ５００ｃをコンテナ移動手段７１０が取出している状態を示している。載置部７１１ｂのアーム７１２で保管されているコンテナ５００ｃを取出し、載置部７１１ｂに載置する。その後、コンテナ５００ｃの載置部７１１ｂへの載置が完了すると、１階部分に降ろし、アーム７１２を用いて、コンテナ５００ｃをコンテナ入出設備５１０ａに載置する。なお、コンテナ入出設備５１０ｂにてコンテナ５００ｃが呼び出された場合は、コンテナ５００ｃを１階部分に降ろした後で、コンテナ移動手段７１０をコンテナ入出設備５１０ｂの後方に移動させ、アーム７１２を用いて、コンテナ５００ｃをコンテナ入出設備５１０ｂに載置する。
【００３５】
上述の実施形態は、本発明の好適な一例であるので、技術的に好ましい種々の限定が付されているが、本発明の範囲は、上述の説明によって不当に限定されるものではない。また、上述の実施形態で説明される構成の全てが本発明の必須の構成要件ではない。また、上述の実施形態で説明される構成は相互に付け足したり組み合わせたりしてもよい。
【産業上の利用可能性】
【００３６】
本発明は、廃棄物受入施設や廃棄物処理場において広く利用可能である。
【符号の説明】
【００３７】
１  ドアの施解錠システム
３  フェンス
１０  端末
２０  監視カメラ
３０  重量計測機
４０  ゲート
６０  廃棄場
１１  ＣＰＵ
１２  通信部
１３  メモリ
１４  インターフェース
５０  電源
４ａ〜４ｃ、５００ａ〜５００ｕ  コンテナ
５１０ａ、５１０ｂ、５１０ｃ  コンテナ入出設備
５１１ａ、５１１ｂ、５１１ｃ  ユーザーインターフェース
６００ａ〜６００ｆ  コンテナ保管設備
７１０  コンテナ移動手段
７１１ａ  巻上駆動部
７１１ｂ  載置部
７１２  アーム
７１３ａ〜７１３ｄ  車輪
７１５ａ、７１５ｂ  レール
１０００  コンテナ施設
【図１】
2020083524.tif 000003
【図２】
2020083524.tif 000004
【図３】
2020083524.tif 000005
【図４】
2020083524.tif 000006
【図５】
2020083524.tif 000007
【図６】
2020083524.tif 000008
【図７】
2020083524.tif 000009
【図８】
2020083524.tif 000010